【事件の表示】
　平成　９年特許願第３３０４３６号「平面ディスプレイ」拒絶査定不服審判事件〔平成１１年　６月１８日出願公開、特開平１１−１６２３８３〕について、次のとおり審決する。
【結　論】
　本件審判の請求は、成り立たない。
【理　由】
【１】手続の経緯・本願発明
　本願は、平成９年１２月１日の出願であって、その請求項１及び２に係る発明は、平成１５年１月１４日付け手続補正書により補正された明細書及び図面の記載からみて、その特許請求の範囲の請求項１及び２に記載された事項によって特定されるとおりのものと認められるところ、請求項１に係る発明は次のとおりのものである（以下、請求項１に係る発明を「本願発明」という。）。
　
「【請求項１】少なくとも一部が透光性を有する表示面およびその表示面に対向配置する基板を有して内部が真空排気された外囲器と、
　前記表示面と前記基板とを所定の間隔に離間するために、前記表示面側に所定の間隔で複数配置された前面リブ、および、前記前面リブの延在方向と垂直な方向に延在して前記基板側に所定の間隔で複数配置された基板側リブと、
　前記表示面の前記前面リブにはさまれた領域に形成されて所定の電位が印加される蛍光体からなる発光部と、
　前記基板の基板側リブにはさまれた領域に所定の間隔を開けて複数配置されて所定の電位が印加される電子放出部と、
　前記基板側リブ上に形成され前記電子放出部から電子を引き出すための電子引き出し電極とから構成され、
　前記電子放出部は、円筒状のグラファイトの層からなるカーボンナノチューブから構成されていることを特徴とする平面ディスプレイ。」
　
【２】引用例に記載された発明
　原査定の拒絶の理由に引用され、本願出願前に頒布された刊行物である特開平９−３０６３９５号公報（以下、「引用例」という。）には、図面とともに次の記載がある。
ａ．「【請求項１】複数の電界放出素子が形成されたカソード基板と、前記電界放出素子に対向して配置された発光体を有するアノード基板と、前記カソード基板及びアノード基板間に画素を構成するように直交して配置される黒色の絶縁物からなる障壁層と、前記障壁層により構成される複数の画素の隣接する画素間を連通させる手段を具備することを特徴とする平面型表示装置。
　　【請求項２】前記障壁層は、カソード基板上に一方向に並設される複数の第１の障壁層と、アノード基板上に前記第１の障壁層と直交する方向に並設される複数の第２の障壁層とからなることを特徴とする請求項１に記載の平面型表示装置。
　　【請求項３】前記第１の障壁層の端面と前記第２の障壁層の端面の直交部は、接触していることを特徴とする請求項２に記載の平面型表示装置。」
ｂ．「【０００８】【発明が解決しようとする課題】本発明は、上述したような問題を解決するためになされたものであり、複雑な回路を設けることなく、電子ビームのクロストークを防止するとともに、高輝度、高コントラストを実現でき、しかも大型化が可能な平面型表示装置を提供することを目的とする。」
ｃ．「【００２２】本発明の平面型表示装置における障壁層の構成を、図７の平面型表示装置を分解して示す概略斜視図を用いて説明する。図７は障壁層の構成を説明するためのものであるため、その説明を容易にするために、アノ一ド基板，カソード基板，透明電極，蛍光体，障壁層以外の構成は省略していると共に、カソード基板とアノ一ド基板間は離間させて記載している。
　　　【００２３】まず、図７（ａ）は、カソード基板上に一方向に並設される複数の第１の障壁層と、アノ一ド基板上に前記第１の障壁層と直交する方向に並設される第２の障壁層とからなる障壁層を説明する図である。カソード基板７２上に画素の一辺を構成するよう一方向にストラィプ状に並設して複数の第１の障壁層７６を形成している。そして、アノ一ド基板７１上には透明電極層７３を形成した後、カソード基板７２上の第１の障壁層７６と直交するように、かつ画素の他方の一辺を構成するよう一方向にストライプ状に並設して複数の第２の障壁層７５を形成している。アノ一ド基板７１側には蛍光体層７４が形成されている。
　　　【００２４】このような構成において、第１の障壁層７６と第２の障壁層７５とは接触していなくとも良いが、その各障壁層の端面の直交部において接触するように構成することにより、カソード基板７２とアノ一ド基板７１の間隙を容易に一定にすることができる。この例においては、一方の基板の障壁層の端面は他方の基板にまで達していないため、その障壁層の高さ分の連通した部分を得ることが可能となる。」
ｄ．「【００３５】【発明の実施の形態】以下、図面を参照しながら、本発明の実施例について詳細に説明する。（実施例１）図１は、本発明の第１の実施例に係る電界放出型の平面型表示装置を分解して示す斜視図である。図１において、参照符号１１はアノード基板を示し、アノード基板１１は、青板ガラス、無アルカリガラス等からなる透光性基板１２上に、ＩＴＯ（インジウム・スズ酸化物）やネサ（スズ酸化物）などの透明導電膜よりなるアノード電極１３を形成し、後述するカソード導体のピッチに対応して、黒色のガラスからなる格子状の障壁層１４を形成し、この障壁層１４の間に、Ｒ，Ｇ，Ｂに発光する発光体層１５Ｒ，１５Ｇ，１５Ｂを塗布することにより構成されている。」
ｅ．「【００５１】・・・（実施例２）第２の実施例を、図６の平面型表示装置を分解して示す斜視図を参照して説明する。アノード基板１１は、障壁層１４の高さを実施例１の高さの半分にする以外は、実施例１と同様にして作製した。一方、カソード基板３１は、次のようにして作製した。
　　　【００５２】まず、（１００）Ｓｉ基板３２の一主面にマスクを形成して選択的にエッチングし、Ｓｉ基板に錘状の凹部を形成する。その後、熱酸化し、錘状の凹部内面を含むＳｉ基板の一主面全体を熱酸化する。この上に、スパッタリング法を用いて、ＬａＢ6 やＭｏからなる金属層を形成し、これをパタ−ニングして凹部内にカソ−ド３３を形成する。次いで図示していないが、全面にＴａ2 Ｏ5 からなる抵抗層を形成し、更に、Ｍｏからなるカソード導体層３４を形成する。
　　　【００５３】その後、ガラス基板３５にＳｉ基板のカソード導体層３４の面を静電接着する。次に、Ｓｉ基板の別の主面にレジストパタ−ンを形成し、これをマスクとして用いてＳｉ基板をエッチング除去し、障壁層３６を残す。この時、凹部内に形成された、表面に熱酸化ＳｉＯ2 が形成されたカソード３３が露出する。その後、障壁層３５の間にＭｏ，Ｔａからなるゲート電極層３７を形成し、ケミカルドライエッチングにより、ゲートの開口部を形成するとともに、カソード３３を露出させる。
　　　【００５４】その後、アノード基板１１とカソード基板３１の周辺をフリットガラスで封着し、内部を高真空に排気し、チップオフすることにより、電界放出型の平面型表示装置が完成する。なお、図６に示す例では、カソード基板１１とアノード基板３１を離間して図示しているが、実際にはカソード基板１１の障壁層１１と、アノード基板３１の障壁層は互いに直交するように接し、平面型表示装置のギャップを決めている。
　　　【００５５】上記実施例２においては、カソード基板３１側のＳｉ基板３２を障壁層３６としても使用することができ、別個に障壁層を形成する必要がなく、作業工程の簡略化を図ることが可能となる。
　　　【００５６】以上の実施例では、いずれも、アノ−ド基板とカソ−ド基板との間に障壁層の列が直交して配置されており、各画素が障壁層により区分されているため、電子ビームの広がりによるクロストークを防止することが出来るとともに、高輝度、高コントラストが実現可能な平面型表示装置を得ることが可能である。」
ｆ．図面の図６から、一定数（９つ）のカソード３３が一群とされ、このカソード３３群が、障壁層３６にはさまれた領域に所定の間隔を開けて複数配置され、かつ、所定の電位が印加されていることが読み取れる。
　したがって、上記摘記事項ａ〜ｆ及び図６，７の記載からみて、引用例には次の発明（以下、「引用例に記載された発明」という。）が記載されていると認める。
　
「複数の電界放出素子が形成されたカソード基板と、前記電界放出素子に対向して配置された発光体を有するアノード基板と、前記カソード基板上に一方向に並設される複数の第１の障壁層と、前記アノード基板上に前記第１の障壁層と直交する方向に並設される複数の第２の障壁層とからなり、前記第１の障壁層にはさまれた領域にはカソード３３から構成された電界放出素子とゲート電極層３７が形成され、前記アノード基板は透光性基板１２と、前記透光性基板上に透明導電膜よりなるアノード電極１３から構成され、前記アノード基板の前記第２の障壁層にはさまれた領域に前記発光体が形成され、前記カソード３３と前記ゲート電極層３７の間及び前記カソード３３と前記アノード電極１３との間にそれぞれ所定の電位が印加されることを特徴とする平面型表示装置。」
【３】対比
　本願発明（以下「前者」という。）と上記引用例に記載された発明（以下「後者」という。）とを比較する。
（１）後者の「アノード基板」は、透光性基板１２上に透明導電膜よりなるアノード電極１３から構成されているので、前者の「少なくとも一部が透光性を有する表示面」に相当し、後者の「カソード基板」は、「アノード基板」に対向して配置されているので、前者の「基板」に相当する。
（２）後者の「アノード基板」と「カソード基板」とが対向して封着されたものは、内部を高真空に排気されることから、前者の「外囲器」に相当する。
（３）後者の「第１の障壁層」と「第２の障壁層」は、互いに直交するように接して「カソード基板」と「アノード基板」との間隙を一定にすることができるので、それぞれ前者の「基板側リブ」、「前面リブ」に相当する。
（４）後者の「電界放出素子」は、「第１の障壁層」にはさまれた領域に位置し、カソード３３から構成され、電子を電界放出する。そして、後者において、上記摘記事項ｆから、一定数（９つ）のカソード３３が一群とされ、このカソード３３群が、「第１の障壁層」にはさまれた領域に所定の間隔を開けて複数配置され、かつ、所定の電位が印加されるので、後者の「複数の電界放出素子」は、「電子放出部」である点で、前者と共通する。
（５）後者において、「アノード基板」に印加された電位により加速された電子が該基板上の「発光体」に衝突することにより蛍光色を発光するので、後者の「アノード基板」と「発光体」から構成されるものは、前者の「所定の電位が印加される蛍光体からなる発光部」に相当する。
（６）後者の「ゲート電極層３７」は、カソードから電子を引き出すための「電子引き出し電極」である点で、前者と共通する。
（７）後者の「平面型表示装置」は、前者の「平面ディスプレイ」に相当する。
　したがって、両者は、
[一致点]
「少なくとも一部が透光性を有する表示面およびその表示面に対向配置する基板を有して内部が真空排気された外囲器と、前記表示面と前記基板とを所定の間隔に離間するために、前記表示面側に所定の間隔で複数配置された前面リブ、および、前記前面リブの延在方向と垂直な方向に延在して前記基板側に所定の間隔で複数配置された基板側リブと、前記表示面の前記前面リブにはさまれた領域に形成されて所定の電位が印加される蛍光体からなる発光部と、前記基板の基板側リブにはさまれた領域に所定の間隔を開けて複数配置されて所定の電位が印加される電子放出部と、前記電子放出部から電子を引き出すための電子引き出し電極とから構成されていることを特徴とする平面ディスプレイ。」の点で一致し、次の点で相違する。
　
[相違点]
（ア）「電子引き出し電極」が、前者では、基板側リブ上に形成されているのに対し、後者では、基板側リブにはさまれた領域に形成されている点。
（イ）「電子放出部」が、前者では、円筒状のグラファイトの層からなるカーボンナノチューブから構成されているのに対し、後者では、そのことが明らかでない点。
【４】判断
相違点（ア）について
　例えば、特開平８−２９３２４４号公報及び特表平９−５０９００５号公報には、電界放出型平面ディスプレイにおいて、電子放出部を区画する障壁層上に電子引き出し電極を形成する点について記載されている。そして、上記特表平９−５０９００５号公報において、「代替的に、スペーサは、陰極基板又は陽極支持板のいずれかの構造の一部として形成される。」（第２１頁９行〜１１行）、「第６図と第７図に関連して議論された多様な実施態様における電気絶縁基板の使用は、基板の山において直接にゲート電極の堆積を可能にする。」（第２２頁下から３行〜２行）との記載事項から、電子放出部を区画する障壁層（基板の山）をスペーサ、すなわち、基板どうしを所定の間隔に離間する部材として用いるとともに、そこにゲート電極を配置することが示唆されているといえる。また、特開平６−３０２２８５号公報には、表示面と基板とを所定の間隔に離間するための障壁体９に、電子放出部より放出された電子を誘導する偏向電極１１ａ，１１ｂを形成する点について記載されている。
　したがって、上記文献の記載から、電界放出型平面ディスプレイにおいて、表示面と基板とを所定の間隔に離間する障壁層に電子引き出し電極を設けることは周知技術といえる。
　すると、引用例に記載された発明において、ゲート電極層３７を障壁層３６上に形成することは、上記周知技術から当業者にとって格別困難こととはいえない。
　
相違点（イ）について
　画像表示素子における電子放出部を、円筒状のグラファイトの層からなるカーボンナノチューブから構成することは、例えば、特開平９−２２１３０９号公報及びWalt A. de Heer, A. Chatelain, D. Ugarte，A Carbon Nanotube Field-Emission Electron Source，SCIENCE，米国，AMERICAN ASSOCIATION FOR THE ADVANCEMENT OF SCIENCE，１９９５年１１月１７日，Vol.270，1179-1180に記載されているように周知技術である（上記SCIENCEには、「The entire gun…can be produced with virtually no restrictions on its area, from less than 1 square millimeter to hundreds of square centimeters, making it suitable for flat panel display applications.（電子銃は・・・実際、１平方ミリメータから数百平方センチメータの領域内において制限無く形成することができ、平面パネルディスプレイ装置にとって好都合である。）」（第１１７９頁要旨欄８行〜１０行）との記載事項があり、カーボンナノチューブを電界放出型ディスプレイの各画素の電子源として用いることが示唆されている。）
　すると、引用例に記載された発明の電子放出部として、周知の円筒状のグラファイトの層からなるカーボンナノチューブを用いることは、当業者が容易になし得ることである。
　
　そして、本願発明の作用効果も、引用例に記載された発明及び上記周知技術から当業者が予測できる範囲内のものである。
　
　したがって、本願発明は、引用例に記載された発明及び上記周知技術に基づいて、当業者が容易に発明をすることができたものである。
　
【５】むすび
　以上のとおり、本願発明は、引用例に記載された発明及び上記周知技術に基づいて、当業者が容易に発明をすることができたものであるから、特許法第２９条第２項の規定により特許を受けることができない。
　そして、本願発明（請求項１に係る発明）が特許を受けることのできないものであるから、請求項２に係る発明について検討するまでもなく、本願は拒絶すべきものである。
　よって、結論のとおり審決する。